(57)【要約】【課題】簡便な方法で、記録紙の再利用方法及び再利用可能な記録紙を提供すること。又、再利用後の記録紙上に残存物が存在しない再利用方法及び再利用可能な記録紙を提供すること。更に、繰り返し再利用性に優れた再利用方法及び再利用可能な記録紙を提供すること【解決手段】記録紙上に容易に剥離可能な画像を形成後、剥離可能で透明なラミネート層を前記記録画像上に形成し、前記記録紙を再利用するときは、前記ラミネート層を剥離後、画像を剥離することにより、前記目的を達成する。【選択図】図１
2005165001.tif 000002
【特許請求の範囲】
【請求項１】
記録紙上に容易に剥離可能な画像を形成後、剥離可能で透明なラミネート層を前記記録画像上に形成し、前記記録紙を再利用するときは、前記ラミネート層を剥離後、画像を剥離することを特徴とする記録紙の再利用方法。
【請求項２】
記録紙上に容易に剥離可能なラミネート層が形成され、記録時には、記録紙上に画像を記録後、ラミネート層を画像上に積置し、再利用時には、ラミネート層を剥離後、画像を剥離することによって再利用可能なことを特徴とする再利用可能な記録紙。
【請求項３】
記録紙と画像とが静電力によって付着していることを特徴とする請求項１記載の記録紙の再利用方法。
【請求項４】
記録紙と画像とが静電力によって付着していることを特徴とする請求項２記載の再利用可能な記録紙。
【請求項５】
ラミネート層が再利用可能であることを特徴とする請求項１記載の記録紙の再利用方法。
【請求項６】
ラミネート層の端部が、記録紙に接着されていることを特徴とする再利用可能な記録紙。
【請求項７】
ラミネート層の記録紙上の画像余白部と相対する位置に再剥離可能な接着剤を塗布し、この接着剤の接着力で記録紙上に固定することを特徴とする請求項１記載の記録紙の再利用方法。
【請求項８】
ラミネート層の記録紙上の画像余白部と相対する位置に再剥離可能な接着剤を塗布し、この接着剤の接着力で記録紙上に固定することを特徴とする請求項２記載の再利用可能な記録紙。
【請求項９】
画像の剥離を物理的な力によって行うことを特徴とする請求項１記載の記録紙の再利用方法。
【請求項１０】
画像の剥離を物理的な力によって行うことを特徴とする請求項２記載の再利用可能な記録紙。
【発明の詳細な説明】
【技術分野】
【０００１】
本発明は、簡便に再利用可能な記録紙に関する。
【背景技術】
【０００２】
近年、情報量の増大とその伝達のために、複写機、レーザビームプリンタ、ファクシミリ等の各種出力機器が多く用いられている。これらの機器の存在なくして、社会活動が効率良く円滑に推進しないのは事実であるが、その反面、これらの機器の使用頻度の増大による紙の使用量の増加に伴い、森林資源の破壊、都市におけるゴミの問題等が社会的な大問題となっていることも事実である。
【０００３】
これらの問題を解消するために、磁気テープ、フロッピディスク、光ディスク等の記憶媒体を用いてのペーパーレスの概念が導入されつつあるが、従来通り印字された紙による確認が一般的に行われており、紙の使用量は依然として増加している。
【０００４】
又、都市におけるゴミの問題に対しては、紙のリサイクルを目的として、紙の分別回収が自治体により推進されており、それなりの効果を上げてはいるが、未だ充分ではない。
【０００５】
一方、前記の出力機器の中では、その印字品質、印字速度、カラー対応、紙の種類に対する自由度等から電子写真方式の出力機器が好ましく用いられており、今後とも増加すると推測されている。これらの電子写真方式における前記の問題解決に対する試みの１つは、特許文献１等に開示されている、所謂消色トナーである。このトナーを用いた複写機による印字物に、特定の波長の光を照射することにより、前記の印字を消色することができる。これによって消色された紙を再度使用することができ、紙資源の節約が可能になる。
【０００６】
【特許文献１】特開平５−１３４４４８号公報
【発明の開示】
【発明が解決しようとする課題】
【０００７】
しかしながら、消色トナーによる印字物は見掛け上白紙ではあるが、そこには消色トナーが存在しているので、このような紙を用いてコピーを行うと複写機内の感光体の表面を汚染して、感光体の電気特性等を劣化させることになり、その結果、安定して高画質のコピーを得ることができない。
【０００８】
又、紙上にに定着したトナーを薬品を用いたり、機械的な力によって剥ぎ取る方法が種々提案されている。
【０００９】
しかしながら、このような方法は専用の装置が必要とされる等、コスト的に問題があったり、記録と再生を繰り返すと、記録紙が劣化する等の問題があった。
【００１０】
更に、薬品を使う方法は、使用した薬品の処理が必要となり、環境上の問題も発生することとなる。
【００１１】
本発明は上記問題に鑑みなされたもので、本発明の第１の目的は、簡便な方法で、記録紙の再利用方法及び再利用可能な記録紙を提供することにある。
【００１２】
又、本発明の第２の目的は、再利用後の記録紙上に残存物が存在しない再利用方法及び再利用可能な記録紙を提供することにある。
【００１３】
本発明の第３の目的は、繰り返し再利用性に優れた再利用方法及び再利用可能な記録紙を提供することにある。
【課題を解決するための手段】
【００１４】
そこで、本発明では、記録紙上に容易に剥離可能な画像を形成後、剥離可能で透明なラミネート層を前記記録画像上に形成し、前記記録紙を再利用するときは、前記ラミネート層を剥離後、画像を剥離することにより、前記目的を達成するものである。
【発明の効果】
【００１５】
本発明によれば、再利用可能な記録紙及び記録紙の再利用方法を用いることで、簡便に記録紙の再利用を行うことができる。
【発明を実施するための最良の形態】
【００１６】
通常の電子写真法による画像形成装置は、感光ドラム等の像坦持体上に静電潜像を形成し、この静電潜像をトナーによって可視化した後、記録紙上に転写し、最後に熱ローラ等の定着装置によって記録紙上のトナーを溶融し、記録紙と密着させることによって画像を得ている。このような方法で形成された画像は、記録剤との接着力が強く容易には剥離することができない。
【００１７】
そこで、本発明では、記録紙に転写した後のトナー画像上に透明で、剥離可能なラミネート層を重ねることにより、簡易的に画像を固定化することによって画像形成を行うものである。記録紙に転写されたトナーは、静電力によって記録紙と吸着しているので、透明なラミネート層を積置することによって、通常の使用によって画像が脱落することはない。
【００１８】
又、画像が必要でなくなったときは、ラミネート層を剥離して、記録紙上のトナーを掃除機等の機械的な力で落とすことによって、記録紙を完全に元の状態に戻すことができる。このラミネート層は記録紙と別々に準備されても良く、端部を記録紙に接着しても良い。
【００１９】
記録紙として用いられるものとしては特に制限はないが、通常、複写機等で用いられる電子写真用紙が望ましい。
【００２０】
記録紙の厚さも特に制限はないが、画像形成後ラミネート層と接着するので或る程度のこしはあった方が望ましく、坪量としては、１０５ｇ／ｍ２ 〜１２８ｇ／ｍ２ が望ましい。
【００２１】
ラミネート層としては、透明であれば特に制限はなく、ポリエチレン、ポリプロピレン、ポリエチレンテレフタレ−ト、ポリスチレン、ナイロン等のフイルムが挙げられ。
【００２２】
ラミネート層の厚さも特に制限はないが、フイルム自体の取り扱い性と、記録紙との密着性の点から、３０μｍ〜７０μｍ程度が望ましい。
【００２３】
以下に本発明の実施形態を図面に基づいて説明する。
【実施例１】
【００２４】
記録紙への画像形成は、通常の複写機等を用いて電子写真法で形成される。ここでは、記録紙として、１０５ｇ／ｍｍ２ の坪量の普通紙を用いた。但し、通常、複写機等で行われる、熱定着は行わない。
【００２５】
このトナー画像が形成された記録紙に、記録紙の余白部分（記録紙端部より５ｍｍ）に相当する位置に最剥離可能な接着剤を塗布したポリエステルフイルム（厚さ５０μｍ）を積置し接着した。
【００２６】
このようにして得られた、記録紙上の画像は、通常の使用においては十分な視認性と耐久性を有している。
【００２７】
記録紙の再生は、画像の乗った記録紙から、ポリエステルフイルムを剥がし、掃除機等の物理的な力でトナーを清掃することにより行う。
【００２８】
このようにして、再生された記録紙は、記録前のものとほぼ同等の性能を有し、再記録可能である。
【実施例２】
【００２９】
図１に示すように、予め記録紙（本実施例の場合は、１０５ｇ／ｍｍ２ の坪量の普通紙）の余白部分（記録紙端部より５ｍｍ）に、厚さ５０μｍのポリエステルフイルムを接着したものを準備し、図１のようにポリエステルフイルムを開いた状態で、電子写真法で画像を形成した。このときも通常行われる熱定着は行わない。
【００３０】
画像を記録後、ポリエステルフィルを元に戻すことによって、記録紙上の画像の保護した。
【００３１】
このようにして得られた、記録紙上の画像は、通常の使用においては十分な視認性と耐久性を有している。
【００３２】
記録紙の再生は、記録紙を、図１のような状態に戻し、掃除機等の物理的な力でトナーを清掃することにより行う。
【００３３】
このようにして、再生された記録紙は、記録前のものとほぼ同等の性能を有し、再記録可能である。
【産業上の利用可能性】
【００３４】
本発明は、再利用可能な記録紙及び記録紙の再利用方法として利用することができる。
【図面の簡単な説明】
【００３５】
【図１】本発明の実施例２で用いられる再利用可能記録紙
【図１】
2005165001.tif 000003